Podtech/llm-jp-corpus-v4-ja_patent huggingface dataset:
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
カードにデータをプリントするためのデスクトップカードプリンタであって、
前記デスクトップカードプリンタの外部のデバイスとの通信を可能にするための外部通信リンクと、
前記デスクトップカードプリンタに内蔵され、前記外部通信リンクと通信するコントローラと、
前記デスクトップカードプリンタの内部に設けられたＵＳＢハブと、
前記カードにデータを書き込むように構成された、少なくとも一つのデータ書込み装置と、
前記データ書込み装置と前記ＵＳＢハブとの間に接続され、前記データ書込み装置と前記ＵＳＢハブとの間の通信を行う、複数のデータカプラと、
を備える、デスクトップカードプリンタ。
【請求項２】
前記ＵＳＢハブが電子的に内部に統合されている、請求項１に記載のデスクトップカードプリンタ。
【請求項３】
前記データ書込み装置がスマートカード接点を含み、前記複数のデータカプラが複数のスマートカードデータカプラを含み、前記複数のスマートカードデータカプラのうちの選択された一つは前記スマートカード接点のデータ出力を制御し、前記複数のスマートカードデータカプラのうちの前記一つは前記ＵＳＢハブを介して選択されうる、請求項１に記載のデスクトップカードプリンタ。
【請求項４】
前記データカプラは、命令を、前記ＵＳＢハブで用いられる形式から、前記データ書込み装置で用いられる形式へと変換する、請求項１に記載のデスクトップカードプリンタ。
【請求項５】
カードにデータをプリントするためのデスクトップカードプリンタであって、
前記デスクトップカードプリンタの外部のデバイスとの通信を可能にするための外部通信リンクと、
前記デスクトップカードプリンタに内蔵され、前記外部通信リンクと通信するコントローラと、
前記カードにデータを書き込むように構成された、少なくとも一つのデータ書込み装置と、
前記データ書込み装置と前記コントローラとの間に接続され、前記データ書込み装置と前記コントローラとの間の通信を行う、複数のデータカプラと、
を備える、デスクトップカードプリンタ。
【請求項６】
前記データ書込み装置がスマートカード接点を含み、前記複数のデータカプラが複数のスマートカードデータカプラを含み、前記複数のスマートカードデータカプラのうちの選択された一つは前記スマートカード接点のデータ出力を制御し、前記複数のスマートカードデータカプラのうちの前記一つは前記コントローラを介して選択されうる、請求項５に記載のデスクトップカードプリンタ。
【請求項７】
前記データカプラは、命令を、前記コントローラで用いられる形式から、前記データ書込み装置で用いられる形式へと変換する、請求項５に記載のデスクトップカードプリンタ。
【請求項８】
カードにデータをプリントするためのデスクトップカードプリンタであって、
前記デスクトップカードプリンタの外部のデバイスとの通信を可能にするための、複数の外部通信リンクと、
前記デスクトップカードプリンタに内蔵され、前記複数の外部通信リンクの少なくとも一つと通信するコントローラと、
前記カードにデータを書き込むように構成された、少なくとも一つのデータ書込み装置と、
前記データ書込み装置と前記複数の外部通信リンクとの間に接続され、前記データ書込み装置と前記外部のデバイスとの間の通信を行う、複数のデータカプラと、を備える、
デスクトップカードプリンタ。
【請求項９】
前記データ書込み装置がスマートカード接点を含み、前記複数のデータカプラが複数のスマートカードデータカプラを含み、前記複数のスマートカードデータカプラのうちの選択された一つは前記スマートカード接点のデータ出力を制御し、前記複数のスマートカードデータカプラのうちの前記一つは前記外部のデバイスを介して選択されうる、請求項８に記載のデスクトップカードプリンタ。
【請求項１０】
前記データカプラは、命令を、前記外部のデバイスで用いられる形式から、前記データ書込み装置で用いられる形式へと変換する、請求項８に記載のデスクトップカードプリンタ。
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
第1および第2の対向する末端と、内部を通って延びている流体流路とを有する硬質支持部材；
柔軟な隔膜部である部分を有し、上記柔軟な隔膜部が1種以上の材料により所定のパターンに被覆された外側表面を有する印刷スタンプ；および
柔軟な隔膜部に外側へバイアスをかけてこれを基板の表面と緊密かつ実質的に均一に接触させ、1種以上の材料の所定のパターンを上記基板表面上に転移させるための、流体流路を通じて柔軟な隔膜部の内側表面と連通しているバイアス手段；及び
位置決め構造；
を含み、
ここで硬質支持部材は前記位置決め構造に正しい位置で取り付けることができるように構成および配置されており、前記印刷スタンプは、硬質支持部材が位置決め構造によって係合され、パターン転移の前に柔軟な隔膜部が基板表面に近接した位置に移動し、柔軟な隔膜部にバイアスがかった後、パターン転移の間に柔軟な隔膜部が過剰に伸長されずに実質的にひずみのないマイクロパターンを基板表面に与えるような様式で、該硬質支持部材の第1の対向末端と一体となって形成されている、基板の表面にマイクロパターンを作成するためのマイクロコンタクトプリンティング装置。
【請求項２】
1種以上の材料により所定のパターンに被覆された外側表面が、基板の表面に転移されるべき材料により実質的に均一に被覆された、所定の表面凸部パターンを含む、請求項1に記載の装置。
【請求項３】
所定の表面凸部パターンが、基板の表面に転移されるべき材料により実質的に均一に被覆された盛り上がった部分である、請求項2に記載の装置。
【請求項４】
1種以上の材料により所定のパターンに被覆された外側表面が、実質的に平面であり、基板の表面に転移されるべき材料が上記平面の表面に所定のパターンで適用される、請求項1に記載の装置。
【請求項５】
バイアスをかける手段が、流体流路を加圧用の流体により加圧し、それにより柔軟な隔膜部に外側へバイアスをかけるための、硬質支持部材の第2の対向末端に連結されたポンプを含む、請求項1、2、3または4に記載のパターンを作成するための装置。
【請求項６】
ポンプが、流体流路の内部に負圧をかけるために流路の外側へ流体を汲み出す操作が可能であり、それにより柔軟な隔膜部に流路の内部に向けたバイアスをかけて上記隔膜部を基板の表面から移動させることができる、請求項5に記載の装置。
【請求項７】
加圧する流体が気体である、請求項6に記載の装置。
【請求項８】
印刷スタンプがポリマー材料により作られている、請求項1、2、3、4、5、6または7に記載の装置。
【請求項９】
ポリマー材料が天然ゴムである、請求項8に記載の装置。
【請求項１０】
ポリマー材料が合成ゴムである、請求項8に記載の装置。
【請求項１１】
印刷スタンプがポリジメチルシロキサン(PDMS)により作られている、請求項8に記載の装置。
【請求項１２】
印刷スタンプがポリオレフィンにより作られている、請求項8に記載の装置。
【請求項１３】
位置決め構造が、複数の基板表面上にマイクロパターンをスタンプする位置に動かすことができるように構成および配置された、請求項1〜12のいずれか1項に記載の装置。
【請求項１４】
硬質支持部材がプラスチックにより作られている、請求項1〜13のいずれか1項に記載の装置。
【請求項１５】
硬質支持部材が管である、請求項1〜14のいずれか1項に記載の装置。
【請求項１６】
ポンプが、基板にバッチ処理でスタンプする際に柔軟な隔膜部に迅速にバイアスをかけるために、柔軟な隔膜部に圧力パルスを適用するためのコントローラーを含む、請求項5に記載の装置。
【請求項１７】
外側表面上の1種以上の材料が、所定の検体種が結合する検体特異的受容体である、請求項1〜16のいずれか1項に記載の装置。
【請求項１８】
硬質支持部材が、種々の所定の物理的形状を有するように製造され、印刷スタンプを硬質支持部材の第1の対向末端と一体形成する間に、上記の所定の物理的形状が、上記の硬質支持部材とパターンの形状を有するマスターとの間の正確な照合を確立するために用いられ、また、固定具が基板を保持するために用いられ、基板を硬質支持部材に正確に照合させると同時に、パターンの形状が基板に対して回転方向で照合される、請求項1〜17のいずれか1項に記載のパターンを作成するための装置。
【請求項１９】
位置決め構造が、隔膜の柔軟な部分を基板表面からの距離が約0.00127cm〜0.0127cmの間の範囲に移動させるように構成されている、請求項1〜18のいずれか1項に記載の装置。
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
構造式（Ｉ）：
【化１】
2007516179.tif 000001
により示される化合物、および式（Ｉ）の化合物の薬学的に受容可能な同位体、塩、溶媒和物、またはエステルであって、
式（Ｉ）において、
Ｒ１は、Ｈおよび＝Ｏからなる群より選択され；
Ｒ２〜Ｒ５は、同じであっても異なっていてもよく、その各々は、独立して、Ｈ、−ＯＨ、ハライド、−ＮＨ２、および＝Ｏからなる群より選択され；そして
組み合わせ実線−破線は、独立して、単結合または二重結合のいずれかを示し、二重結合である組み合わせ実線−破線の数は、２以下であり、該数が２である場合、該二重結合は、隣接しておらず、該数が０である場合、Ｒ１〜Ｒ５のうちの１つは、Ｈではない、
化合物。
【請求項２】
請求項１に記載の化合物であって、Ｒ１、Ｒ２、Ｒ３およびＲ５は、各々Ｈであり、Ｒ４は、Ｈおよび−ＯＨからなる群より選択され、二重結合である前記組み合わせ実線−破線の数は、１以下である、化合物。
【請求項３】
式：
【化２】
2007516179.tif 000002
により示される、請求項１に記載の化合物、およびその化合物の薬学的に受容可能な同位体、塩、溶媒和物、またはエステル。
【請求項４】
式：
【化３】
2007516179.tif 000003
により示される、請求項１に記載の化合物、およびその化合物の薬学的に受容可能な同位体、塩、溶媒和物、またはエステル。
【請求項５】
式：
【化４】
2007516179.tif 000004
により示される、請求項１に記載の化合物、およびその化合物の薬学的に受容可能な同位体、塩、溶媒和物、またはエステル。
【請求項６】
式：
【化５】
2007516179.tif 000005
により示される、請求項１に記載の化合物、およびその化合物の薬学的に受容可能な同位体、塩、溶媒和物、またはエステル。
【請求項７】
患者においてファルネシルタンパク質トランスフェラーゼを阻害するための組成物であって、該組成物は、治療上有効な量の請求項１に記載の化合物を含有する、組成物。
【請求項８】
膵臓癌、非小細胞肺癌、骨髄性白血病、甲状腺小胞癌、骨髄異形成症候群、表皮癌、膀胱癌、結腸癌、乳癌、または前立腺癌を、患者において処置するための組成物であって、該組成物は、治療上有効な量の請求項１に記載の化合物を含有する、組成物。
【請求項９】
薬学的組成物であって、治療上有効な量の請求項１に記載の化合物を、薬学的に受容可能なキャリアと組み合わせて含む、組成物。
【請求項１０】
請求項１に記載の化合物の、純粋でありかつ単離された形態。
【請求項１１】
請求項３に記載の化合物の、純粋でありかつ単離された形態。
【請求項１２】
請求項４に記載の化合物の、純粋でありかつ単離された形態。
【請求項１３】
請求項５に記載の化合物の、純粋でありかつ単離された形態。
【請求項１４】
請求項６に記載の化合物の、純粋でありかつ単離された形態。
【手続補正書】
【提出日】平成19年5月30日(2007.5.30)
【手続補正１】
【補正対象書類名】明細書
【補正対象項目名】００１１
【補正方法】変更
【補正の内容】
【００１１】
本発明は、第１の態様において、式(Ｉ)：
【化１】
2007516164.tif 000001
[式中、
環Ｂは、６個の環原子を有する単環式アリール環を表すか、または６個までの環原子を有し、かつ１個以上の環ヘテロ原子(ここで、該ヘテロ原子はそれぞれ窒素である)を含む単環式ヘテロアリール環を表し；
Ｒ２は、Ｃ１−６アルキルまたはアリールから選択される基を表し、該基は、１個以上のフッ素によって置換されており；
ｎは、１、２、または３であり；そして
Ｒ１は、Ｃ１−６アルキル、Ｃ５−７シクロアルキル、ヘテロシクロアルキル、アリール、ヘテロアリール、Ｃ１−６アルキル−アリール、Ｃ１−６アルキル−ヘテロアリール、Ｃ１−６アルキル−シクロアルキル、またはＣ１−６アルキル−ヘテロシクロアルキルから選択され、所望により置換されている基を表す]の化合物、またはその薬学的に許容される塩、プロドラッグ、もしくは溶媒和物を提供する。
【手続補正２】
【補正対象書類名】明細書
【補正対象項目名】００２０
【補正方法】変更
【補正の内容】
【００２０】
Ｒ２は、１個以上のフッ素によって置換されている１０個までの環原子を有するアリール基、特に６個の環原子を有する単環式アリール(例えばフェニル)であり得る。しかし好ましくは１個以上のフッ素によって置換されているＣ１−６アルキルであり、特にＣ１−４アルキル(例えばメチル、特にエチル)である。
好ましくは、Ｒ２は、１から５個のフッ素によって、特に３個もしくは４個のフッ素によって置換されている。
【手続補正３】
【補正対象書類名】明細書
【補正対象項目名】００２３
【補正方法】変更
【補正の内容】
【００２３】
Ｒ１は、適切には、Ｃ１−４アルキル(例えばメチルまたはエチル)、６個の環原子を有するアリール(例えばフェニル)、１個もしくは２個の環ヘテロ原子(同一であっても異なっていてもよく、Ｎ、ＯおよびＳから選択される)を含む５員から６員のヘテロシクロアルキル環(例えばピペリジニルまたはテトラヒドロピラニル)、またはＣ１−４アルキル−ヘテロアリール(ここで、該ヘテロアリールは、６個までの環原子を有し、かつＮ、ＯおよびＳから選択される１個もしくは２個の環ヘテロ原子を含む)(例えばアルキル ピリミジニル、またはアルキル ピリジニル)から選択され、所望により置換されている基である。
【手続補正４】
【補正対象書類名】明細書
【補正対象項目名】００６４
【補正方法】変更
【補正の内容】
【００６４】
例えば、それがメタロプロテイナーゼを阻害することができるために、式Ｉの化合物は、現在シクロオキシゲナーゼ阻害非ステロイド抗炎症剤(ＮＳＡＩＤ)(例えばインドメタシン、ケトロラック、アセチルサリチル酸、イブプロフェン、スリンダク、トルメチン、およびピロキシカム)で処置されている、ある種の炎症性および非炎症性疾患の処置に有益である。本発明の式Ｉの化合物をＮＳＡＩＤと共に投与することで、治療効果を得るために必要とされる後者の薬剤を減量し得る。それによって、ＮＳＡＩＤの副作用、例えば胃腸への影響のおそれが減少する。従って、本発明のさらなる特徴により、シクロオキシゲナーゼ阻害非ステロイド抗炎症剤と共に、またはそれと混合した、式Ｉの化合物もしくはその薬学的に許容される塩、および薬学的に許容される希釈剤もしくは担体を含む医薬組成物が提供される。
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
気体透過性上方シートと気体非透過性下方シートとを含む流動化マットであって、
前記上方および下方シートは、相互に離間された複数の荷重支承手段により、相互に離間されて重ねあわされた状態に保持され、前記荷重支承手段は、当該流動化マットの実質的に全領域に亘り異なる方向に延びるとともに相互に交差して前記上方および下方シート間に単一の連続室を形成する複数の通路を形成しており、前記上方シートおよび下方シートの少なくとも一方は柔軟性を有することを特徴とする流動化マット。
【請求項２】
前記通路は、前記上方および下方シートの一方により部分的に形成されていることを特徴とする請求項１に記載の流動化マット。
【請求項３】
前記複数の通路は連続した充気室を形成していることを特徴とする請求項２に記載の流動化マット。
【請求項４】
前記通路は部分的に、前記気体透過性上方シートにより形成されていることを特徴とする請求項２または３に記載の流動化マット。
【請求項５】
前記上方シートは複数の孔、例えば微細孔、を含むことを特徴とする請求項１ないし４のいずれかに記載の流動化マット。
【請求項６】
前記複数の荷重支承手段は前記上方シートおよび前記下方シートの少なくとも一方に固定されていることを特徴とする請求項１ないし５のいずれかに記載の流動化マット。
【請求項７】
前記荷重支承手段の各々は、前記上方および／もしくは下方シートの少なくとも一方に固定されているか、または当該少なくとも一方の一体的部分として形成されていることを特徴とする請求項１ないし５のいずれかに記載の流動化マット。
【請求項８】
前記荷重支承手段は前記下方シートにのみ固定されていることを特徴とする請求項７に記載の流動化マット。
【請求項９】
前記荷重支承手段は前記上方シートおよび下方シートの両方に固定または接合されていることを特徴とする請求項７または８に記載の流動化マット。
【請求項１０】
前記荷重支承手段は柔軟性があることおよび／または弾性変形可能であることを特徴とする請求項１ないし９のいずれかに記載の流動化マット。
【請求項１１】
前記荷重支承手段は、相互に離間された複数の密閉されたバブルを含むことを特徴とする請求項１ないし１０のいずれかに記載の流動化マット。
【請求項１２】
前記上方シートと下方シートとの間に設けられて前記バブルを密閉する中間シートを更に含むことを特徴とする請求項１１に記載の流動化マット。
【請求項１３】
前記下方シートが前記バブルを部分的に密閉していることを特徴とする請求項１２に記載の流動化マット。
【請求項１４】
前記下方シートと前記中間シートとは一体的に形成されていることを特徴とする請求項１２または１３に記載の流動化マット。
【請求項１５】
前記荷重支承手段は、接合繊維構造体、発泡体、焼結重合構造体、発泡粒子、および網状構造の積層体から形成された３次元構造体の１つ以上を含むことを特徴とする請求項１ないし１０のいずれかに記載の流動化マット。
【請求項１６】
前記穿孔された上方層は帯電防止材料および／または導電性材料を含むことを特徴とする請求１ないし１５のいずれかに記載の流動化マット。
【請求項１７】
前記上方シートおよび下方シートは両方とも柔軟性を有することを特徴とする請求項１ないし１６のいずれかに記載の流動化マット。
【請求項１８】
当該流動化マットを加圧空気源または加圧気体源へ接続する単一の点接続部を更に含むことを特徴とする請求項１ないし１７のいずれかに記載の流動化マット。
【請求項１９】
前記単一の点接続部は当該流動化マットの周部に設けられていることを特徴とする請求項１８に記載の流動化マット。
【請求項２０】
前記単一の点接続部は、使用時に、当該流動化マットを取り付けるコンテナーの排出端部に近接するように、当該流動化マット上で位置していることを特徴とする請求項１９に記載の流動化マット。
【請求項２１】
請求項１ないし２０のいずれかに記載の流動化マットを含むコンテナーライナーであって、
前記流動化マットは当該コンテナーライナーの一部を含むとともに、前記穿孔された上方シートは当該コンテナーライナーの床部材の少なくとも一部を形成しているコンテナーライナー。
【請求項２２】
前記流動化マットを当該ライナー内部に保持するとともに、コンテナーが傾いたときに流動化マットが排出されるのを防ぐ保持手段を更に含むことを特徴とする請求項２１に記載のコンテナーライナー。
【請求項２３】
前記流動化マットは、少なくとも、１つまたは複数の排出口に直近のライナー領域に設けられていることを特徴とする請求項２１または２２に記載のコンテナーライナー。
【請求項２４】
請求項１ないし２０のいずれかに記載の流動化マット、または、請求項２０ないし２３のいずれかに記載のコンテナーライナーを含むことを特徴とするコンテナー。
【手続補正２】
【補正対象書類名】明細書
【補正対象項目名】００１５
【補正方法】変更
【補正の内容】
【００１５】
本発明の第１の局面として、気体透過性上方シートと気体非透過性下方シートとを含み、前記上方および下方シートは、相互に離間された複数の荷重支承手段により、相互に離間されて重ねあわされた状態に保持され、前記荷重支承手段は、流動化マットの実質的に全領域に亘り異なる方向に延びているとともに相互に交差して前記上方および下方シート間に単一の連続室を形成する複数の通路を形成しており、前記上方および下方シートの少なくとも一方は柔軟性を有していることを特徴とする流動化マットを提供する。
【手続補正３】
【補正対象書類名】明細書
【補正対象項目名】００２１
【補正方法】変更
【補正の内容】
【００２１】
前記上方シートおよび下方シートは両方とも柔軟性を有していることが好ましい。
単一の点接続部を、流動化マットを加圧空気源または加圧気体源へ接続するために使用することができる。この単一の点接続部は、流動化マットの周囲のどこにでも設けてもよい。前記単一の点接続部は、コンテナーの排出端部に近接する流動化マットの周囲に取り付けられていると好都合である。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
以下；
第一の硬質基板（Ｓ１）；
第二の硬質基板（Ｓ２）；
少なくとも１つの薄膜を含み、そして該基板（Ｓ１及びＳ２）の間に置かれている複層を含む、少なくとも１つの活性なシステム（３）；及び
万一割れた場合に、該グレージングアセンブリの破片を保持する機能を有する、少なくとも１つのポリマーフィルム（ｆ１）であって、該基板（Ｓ１）と該基板（Ｓ２）との間に置かれている該フィルム；
を順に含むグレージングアセンブリであって、
該活性なシステム（３）が、該基板（Ｓ１）の内部表面（２）上にあることを特徴とする該グレージングアセンブリ。
【請求項２】
該活性なシステムが、エレクトロクロミックシステム、ライトバルブ、ビオロゲンベースシステム、液晶システム又はエレクトロルミネセンスシステム型の可変の光学及び／又はエネルギー特性を有する電気的に制御可能なシステムであることを特徴とする、請求項１に記載のグレージングアセンブリ。
【請求項３】
該活性なシステムが、低放射率又は太陽光線防護型の熱機能、音響減衰のコーティング型の音響抑制機能、あるいは装飾用又は吸収用のサーモクロミック又はサーモトロピック型の光学機能を有する薄膜又は薄膜複層であることを特徴とする、請求項１に記載のグレージングアセンブリ。
【請求項４】
該基板（Ｓ１）と基板（Ｓ２）とが、ガラスから作られていることを特徴とする、請求項１〜３のいずれか一項に記載のグレージングアセンブリ。
【請求項５】
該基板（Ｓ１）及び基板（Ｓ２）と、それらの間に置かれることができる全ての材料との全体の厚さ（ｅ1+2）が、８ｍｍ以下であることを特徴とする、請求項１〜４のいずれか一項に記載のグレージングアセンブリ。
【請求項６】
前記全体の厚さ（ｅ1+2）が５．５ｍｍ以下であることを特徴とする、請求項５に記載のグレージングアセンブリ。
【請求項７】
前記全体の厚さ（ｅ1+2）が２ｍｍ〜５ｍｍであることを特徴とする、請求項６に記載のグレージングアセンブリ。
【請求項８】
該基板（Ｓ１）及び基板（Ｓ２）と、それらの間に置かれることができる全ての材料との全体の厚さ（ｅ1+2）が、３０ｍｍ以下であることを特徴とする、請求項１〜４のいずれか一項に記載のグレージングアセンブリ。
【請求項９】
前記全体の厚さ（ｅ1+2）が６ｍｍ〜２５ｍｍであることを特徴とする、請求項８に記載のグレージングアセンブリ。
【請求項１０】
該基板（Ｓ１）及び基板（Ｓ２）が、実質的に同一の形状及び実質的に同一の寸法を有することを特徴とする、請求項１〜９のいずれか一項に記載のグレージングアセンブリ。
【請求項１１】
該基板（Ｓ１）及び基板（Ｓ２）が、異なる寸法及び実質的に同一の形状を有することを特徴とする、請求項１〜９のいずれか一項に記載のグレージングアセンブリ。
【請求項１２】
スクリーン印刷型の不透明な周縁コーティングを備えていることを特徴とする、請求項１〜１１のいずれか一項に記載のグレージングアセンブリ。
【請求項１３】
該スクリーン印刷型の不透明な周縁コーティングを、該基板（Ｓ１）上の表面（２）の周縁部付近及び／又は該基板（２）上の表面（３）若しくは表面（４）の周縁部付近に備えていることを特徴とする、請求項１２に記載のグレージングアセンブリ。
【請求項１４】
該スクリーン印刷型の不透明な周縁コーティングを、エナメル化領域又は導電性領域に備えていることを特徴とする、請求項１３に記載のグレージングアセンブリ。
【請求項１５】
該基板（Ｓ１）上に配置される該表面（２）の該周縁部上及び／又は該基板（Ｓ２）上に配置される該表面（３）の該周縁部上に位置するマージニングラインを少なくとも一つ備えていることを特徴とする、請求項１〜１４のいずれか一項に記載のグレージングアセンブリ。
【請求項１６】
該２つの基板の向かい合う面と接する、少なくとも第一の周縁シールを備えていることを特徴とする、請求項１〜１５のいずれか一項に記載のグレージングアセンブリ。
【請求項１７】
該基板の端部と接する、少なくとも第二の周縁シールを備えていることを特徴とする、請求項１〜１６のいずれか一項に記載のグレージングアセンブリ。
【請求項１８】
該第一及び／又は第二の周縁シールが、取り付けられるか、又は押出しによって得られるか若しくはカプセル化によって得られることを特徴とする、請求項１６及び１７のどちらかに記載のグレージングアセンブリ。
【請求項１９】
該第二の周縁シール、又は該シールが１つよりも多い場合には該シールの少なくとも１つが、該第一の基板の外部表面とフラッシュしていることを特徴とする、請求項１７及び１８のどちらかに記載のグレージングアセンブリ。
【請求項２０】
該第一及び／又は第二の周縁シール、又はそれらが２つのシールより多い場合にはそれらの少なくとも１つが、２枚の基板の間の凹部によって規定される開口の周縁溝を少なくとも部分的に満たすことを特徴とする、請求項１５〜１９のいずれか一項に記載のグレージングアセンブリ。
【請求項２１】
該第一及び／又は第二の周縁シールが、該活性なシステムの結合要素によって貫通され、そして／又は機械的な強化エレメントを少なくとも部分的に含むことを特徴とする、請求項１５〜２０のいずれか一項に記載のグレージングアセンブリ。
【請求項２２】
自動車産業用のウィンド又は建築物用の窓であることを特徴とする、請求項１〜２１のいずれか一項に記載のグレージングアセンブリ。
【請求項２３】
サンルーフ、ルーフウィンド又は天窓であることを特徴とする、請求項２２に記載のグレージングアセンブリ。
【請求項２４】
ＥＣＥ  Ｒ４３規格及びＡＮＳＩ  Ｚ２６．１．規格の安全性試験に合格することを特徴とする、請求項１〜２３のいずれか一項に記載のグレージングアセンブリ。
【請求項２５】
図形及び／若しくは英数字のデータ表示パネル、建築物用の窓、リアビューミラー、航空機のフロントガラス若しくは機室の窓、又はルーフウィンドであることを特徴とする、請求項１〜２４のいずれか一項に記載のグレージングアセンブリ。
【請求項２６】
建築物用の室内又は屋外の窓；
湾曲形の、小売店のショーケース又はカウンター陳列ケース；
塗装型の物体を保護するグレージング；
強化グレージング
防眩コンピュータスクリーン；
ガラス家具：
であることを特徴とする、請求項１〜２５のいずれか一項に記載のグレージングアセンブリ。
【請求項２７】
少なくとも一つの透明な、平坦又は湾曲形の、無色又は全体に薄い色をおびた、多角形の形状又は少なくとも部分的に湾曲形である基板を含むことを特徴とする、請求項１〜２６のいずれか一項に記載のグレージングアセンブリ。
【請求項２８】
不透明である、不透明にされた、又はミラーの基板を含むことを特徴とする、請求項１〜２７のいずれか一項に記載のグレージングアセンブリ。
【請求項２９】
請求項１〜２８のいずれか一項に記載のグレージングアセンブリを備えていることを特徴とする自動車。
【請求項３０】
該グレージングアセンブリを、サンルーフとして備えていることを特徴とする、請求項２９に記載の自動車。
【請求項３１】
車体とフラッシュしている該グレージングアセンブリを備えていることを特徴とする、請求項２９及び３０のどちらかに記載の自動車。
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
カルボキシアルキルオキシまたはカルボキシアルキルチオ基で置換された１，３−ジフェニルプロパ−２−エン−１−オン誘導体の製造方法であって、
（ｉ）二つのフェニル基の一方がヒドロキシルまたはチオール基で置換された、少なくとも１種類の１，３−ジフェニルプロパ−２−エン−１−オン誘導体を、一般式（II）：
【化１】
2007516189.tif 000001
（式中、Ｙは、ハロゲン原子を表し、Ｒは、Ｃ1〜Ｃ24アルキル鎖であり、Ｒ’は、酸に不安定なカルボン酸保護基である）
で表される、少なくとも１種類のハロゲン化化合物と接触させる工程と；
（ii）工程（ｉ）で得られたエステルを酸加水分解する工程と
を含む方法。
【請求項２】
式（II）で表される化合物のカルボン酸保護基が、カルボキシル官能基に結合した炭素原子が、１〜４個の炭素原子を有する一つまたは二つの直鎖もしくは分枝鎖アルキル基で置換された、Ｃ1〜Ｃ5アルキル型の酸不安定基のうちから選ばれることを特徴とする、請求項１記載の方法。
【請求項３】
式（II）で表される化合物のカルボン酸保護基が、tert−ブチルおよびイソプロピル基のうちから選ばれることを特徴とする、請求項１または２のいずれか１項に記載の方法。
【請求項４】
Ｒ基が、１〜１２個の炭素原子を有する、一つ以上の飽和の、直鎖または環状の炭化水素基で場合により置換された、Ｃ1〜Ｃ10アルキル鎖であることを特徴とする、請求項１、２または３のいずれか一項に記載の方法。
【請求項５】
工程（ｉ）を、２５〜１２０℃、より好ましくは８０〜１２０℃を含む温度で実施することを特徴とする、請求項１〜４のいずれか一項に記載の方法。
【請求項６】
工程（ｉ）を、触媒の存在下で実施することを特徴とする、請求項１〜５のいずれか一項に記載の方法。
【請求項７】
工程（ｉ）を、触媒としての炭酸セシウムまたは炭酸カリウムの存在下で実施することを特徴とする、請求項１〜６のいずれか一項に記載の方法。
【請求項８】
工程（ｉ）を、一般式（II）で表されるハロゲン化化合物、および必要ならば触媒の数回の添加によって繰り返すことを特徴とする、請求項１〜７のいずれか一項に記載の方法。
【請求項９】
工程（ｉ）で用いられる、ヒドロキシルまたはチオール基で置換された１，３−ジフェニルプロパ−２−エン−１−オン誘導体を、アセトフェノン型化合物とチオ−もしくはヒドロキシ−ベンズアルデヒド誘導体との、またはチオ−もしくはヒドロキシ−アセトフェノン誘導体とベンズアルデヒド型化合物との、酸性または塩基性媒体中でのクライゼン−シュミット反応によって得ることを特徴とする、請求項１〜８のいずれか一項に記載の方法。
【請求項１０】
酸加水分解工程（ii）を、アルキルオキシカルボニルアルキルオキシまたはアルキルオキシカルボニルアルキルチオ基で置換された１，３−ジフェニルプロパ−２−エン−１−オン誘導体をトリフルオロ酢酸と接触させることによって実施することを特徴とする、請求項１〜９のいずれか一項に記載の方法。
【請求項１１】
工程（ii）で用いられるトリフルオロ酢酸の量が、１〜２０当量、好ましくは８〜１２当量であることを特徴とする、請求項１〜１０のいずれか一項に記載の方法。
【請求項１２】
工程（ii）を、０〜１００℃、より好ましくは１８〜２５℃の温度で実施することを特徴とする、請求項１〜１１のいずれか一項に記載の方法。
【請求項１３】
製造された生成物が、下記の一般式（Ｉ）：
【化２】
2007516189.tif 000002
（式中、
Ｘ1は、ハロゲンもしくは−Ｒ1基、または式：−Ｇ1−Ｒ1に相当する基を表し、
Ｘ2は、水素原子、チオニトロソ基、アルキルオキシ基、アルキルカルボニルオキシ基、アルキルチオ基またはアルキルカルボニルチオ基を表し、
Ｘ3は、−Ｒ3基、または式：−Ｇ3−Ｒ3に相当する基を表し、
Ｘ4は、ハロゲン、チオニトロソ基、−Ｒ4基、または式：−Ｇ4−Ｒ4に相当する基を表し、
Ｘ5は、−Ｒ5基、または式：−Ｇ5−Ｒ5に相当に相当する基を表し、
Ｒ1、Ｒ3、Ｒ4、Ｒ5は、同一、または異なっており、水素原子、またはカルボン酸官能基で置換されているか、もしくは置換されていないアルキル基を表し、
Ｇ1、Ｇ3、Ｇ4、Ｇ5は、同一、または異なっており、酸素または硫黄原子を表し、
基Ｘ1、Ｘ3、Ｘ4またはＸ5の一つは、Ｒがカルボン酸官能基を有するアルキル基である、式：−Ｇ−Ｒに相当する）
で示されることを特徴とする、請求項１〜１２のいずれか一項に記載の方法。
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
患者中で髄膜炎菌の莢膜多糖AおよびCに対する免疫応答を誘発するアルミニウムを含まない免疫組成物であって、前記組成物が２つのタンパク質−多糖複合体を含み、第１の複合体が１つ以上の担体タンパク質に結合した髄膜炎菌の血清群Aの莢膜多糖を含み、第２の複合体が１つ以上の担体タンパク質に結合した髄膜炎菌の血清群Cの莢膜多糖を含むことを特徴とする免疫組成物。
【請求項２】
前記担体タンパク質が、ジフテリアトキソイドであることを特徴とする請求項１記載の免疫組成物。
【請求項３】
前記担体タンパク質および多糖が、リンカーと共有結合していることを特徴とする請求項２記載の免疫組成物。
【請求項４】
前記リンカーが、アジピン酸ジヒドラジドであることを特徴とする請求項３記載の免疫組成物。
【請求項５】
前記莢膜多糖AおよびCが、5から100kDaまでの平均サイズを有することを特徴とする請求項１記載の免疫組成物。
【請求項６】
前記莢膜多糖AおよびCが、10から75kDaまでの平均サイズを有することを特徴とする請求項１記載の免疫組成物。
【請求項７】
前記莢膜多糖AおよびCが、10から50kDaまでの平均サイズを有することを特徴とする請求項１記載の免疫組成物。
【請求項８】
前記莢膜多糖AおよびCが、10から30kDaまでの平均サイズを有することを特徴とする請求項１記載の免疫組成物。
【請求項９】
前記莢膜多糖AおよびCが、10から25kDaまでの平均サイズを有することを特徴とする請求項１記載の免疫組成物。
【請求項１０】
前記組成物が、アジュバントを含むことを特徴とする請求項１記載の免疫組成物。
【請求項１１】
前記免疫組成物が、単回投与で患者に投与されることを特徴とする請求項１記載の免疫組成物。
【請求項１２】
前記患者が、前記免疫組成物が投与される際に１２ヶ月未満であることを特徴とする請求項１１記載の免疫組成物。
【請求項１３】
前記免疫組成物が、ジフテリア、破傷風、ポリオウィルス、または百日咳に対するワクチンの投与と同日にまたは６ヶ月以内に投与されることを特徴とする請求項１記載の免疫組成物。
【請求項１４】
前記免疫組成物が、ジフテリア、破傷風、ポリオウィルス、または百日咳に対するワクチンの投与と同日にまたは３ヶ月以内に投与されることを特徴とする請求項１３記載の免疫組成物。
【請求項１５】
前記免疫組成物が、ジフテリア、破傷風、ポリオウィルス、または百日咳に対するワクチンの投与と同日にまたは１ヶ月以内に投与されることを特徴とする請求項１４記載の免疫組成物。
【請求項１６】
前記免疫組成物が、ジフテリア、破傷風、ポリオウィルス、または百日咳に対するワクチンの投与と同日に投与されることを特徴とする請求項１５記載の免疫組成物。
【請求項１７】
前記ワクチンが、ポリオウィルスタイプ１、２または３であることを特徴とする請求項１４記載の免疫組成物。
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
１１−ピペラジン−１−イルジベンゾ［ｂ，ｆ］［１，４］チアゼピン又は医薬として許容されるその塩を、少なくとも一つの医薬として許容される担体又は希釈剤と共に含む経口医薬組成物であって、ここで該化合物は統合失調症、痴呆、不安、うつ病、気分障害、双極性障害、双極性躁病、双極性うつ病、認識力障害、精神病、又は神経変性障害に関連する症状又は状態の少なくとも一つを治療するのに有効な量で該経口組成物中に存在する、上記経口医薬組成物。
【請求項２】
１１−ピペラジン−１−イルジベンゾ［ｂ，ｆ］［１，４］チアゼピンが遊離塩基からなる、請求項１に記載の組成物。
【請求項３】
症状又は状態が統合失調症に関連する、請求項１又は２に記載の組成物。
【請求項４】
症状又は状態が精神病に関連する、請求項１又は２に記載の組成物。
【請求項５】
症状又は状態が双極性うつ病に関連する、請求項１又は２に記載の組成物。
【請求項６】
症状又は状態が双極性躁病に関連する、請求項１又は２に記載の組成物。
【請求項７】
症状又は状態が不安に関連する、請求項１又は２に記載の組成物。
【請求項８】
症状又は状態が気分障害に関連する、請求項１又は２に記載の組成物。
【請求項９】
症状又は状態がうつ病に関連する、請求項１又は２に記載の組成物。
【請求項１０】
１１−ピペラジン−１−イルジベンゾ［ｂ，ｆ］［１，４］チアゼピン又は医薬として許容されるその塩の量が７５０ｍｇまでからなる、請求項１〜９のいずれか１項に記載の組成物。
【請求項１１】
１１−ピペラジン−１−イルジベンゾ［ｂ，ｆ］［１，４］チアゼピン又は医薬として
許容されるその塩の量が１〜６００ｍｇからなる、請求項１０に記載の組成物。
【請求項１２】
１１−ピペラジン−１−イルジベンゾ［ｂ，ｆ］［１，４］チアゼピン又は医薬として許容されるその塩の量が１００〜４００ｍｇからなる、請求項１１に記載の組成物。
【請求項１３】
ヒトの統合失調症、痴呆、不安、うつ病、気分障害、双極性障害、双極性躁病、双極性うつ病、認識力障害、精神病、又は神経変性障害に関連する症状又は状態の少なくとも一つを治療するための医薬の製造における１１−ピペラジン−１−イルジベンゾ［ｂ，ｆ］［１，４］チアゼピンの使用。
【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
ほぼ気密なリザーバを構成している可撓性のハウジング；
前記リザーバ内に入れた複数の粒子；
前記リザーバに入れた気体および／または液体；および
前記リザーバ内に入れた或る量の前記気体および／または液体を調整するために前記リザーバと連通する弁アッセンブリ；
を含むミッドソールまたはインソールのいずれかより選択される履き物デバイスであって、ここで調整するということは、リザーバにかかる圧力に応答して気体および／または液体の少なくとも一部を取り除くことを含み、そしてハウジングが前記圧力を除いた後、該圧力により形成される輪郭をほぼ保持することである、前記デバイス。
【請求項２】
粒子がエラストマーまたは固形である、請求項１に記載のデバイス。
【請求項３】
粒子が接着剤でドープ処理してあり、そして／または或る範囲の粘度を有する潤滑剤で潤滑化してある、請求項１に記載のデバイス。
【請求項４】
リザーバが、バリヤによって選択的に互いに結合した対向面を有し、少なくとも２つのパーティションを形成し、該少なくとも２つのパーティション間での粒子の移動を制限している、請求項１に記載のデバイス。
【請求項５】
ハウジングが、さらに、少なくとも１つの中間層および外側層を含み、前記少なくとも１つの中間層が粒子と前記外側層との間に配置してある、請求項１に記載のデバイス。
【請求項６】
さらに、異なった結合特性を有する粒子のサブセットを保持するためにリザーバに設けた予め形成したセクションを含み、該セクションの各々が、それに向かう気体および／または液体の流れを選択的に制御するための個々の弁アッセンブリに接続している、請求項１に記載のデバイス。
【請求項７】
さらに、リザーバに予め成形したセクションを含み、隣接しているパーティション間のバリヤがそれを通して気体および／または液体が流れることができる、請求項１に記載の
デバイス。
【請求項８】
ハウジングが内蔵型支持体を有し、そして足底の足型を取るために粒子で満たしてある、請求項１に記載のデバイス。
【請求項９】
さらに、前方部分を有するミッドソールを含み、前記前方部分が、ミッドソールの約１／３からなり、足前部の下に分布する粒子の量を制限する下方空所を有する、請求項１に記載のデバイス。
【請求項１０】
ハウジングが気体および／または液体の放出のための出口を含む、請求項１に記載のデバイス。
【請求項１１】
さらに、粒子を刺激して分散させ、対象物体の輪郭に適合させるバイブレータを含む、請求項１に記載のデバイス。
【請求項１２】
粒子の少なくとも一部が、適切に較正されたエネルギ源を付与することによって互いに融着させることができる物質でドープ処理されている、請求項１に記載のデバイス。
【請求項１３】
さらに、粒子の移動を減らすようにハウジングに適用された接着面を含む、請求項１に記載のデバイス。
【請求項１４】
複数の粒子ならびに気体および／または液体で部分的に満たしたほぼ気密のハウジング上にヒトの足を配置する工程；および
前記ハウジング内の前記気体および／または液体の少なくとも一部を取り除く工程；
を含む、ミッドソールまたはインソールのいずれかより選択される履き物デバイスの製造方法であって、ここで前記の複数の粒子は或る範囲の粘度を有する潤滑剤で潤滑化してある、前記の方法。
【請求項１５】
さらに、ハウジングを振動させることを含む、請求項１４に記載の方法。
【請求項１６】
さらに、ハウジング上に足を配置する前に、ハウジング内にばらの粒子を予め装填する工程；
前記ハウジング内からハウジングの外で終わっている弁アッセンブリまで真空管路を創設する工程；および
前記ハウジングをほぼ気密にシールする工程；
を含み、そして前記の取り除く工程は、前記弁アッセンブリに接続した真空システムを作動させて前記対象物体の型を取ることを含む、請求項１４に記載の方法。
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
片面上に色素層を有するとともにその反対面上にスリップ層を有する支持体を含んで成る感熱色素転写用の色素供与体要素であって、前記スリップ層が少なくとも２種のワックスと分岐α−オレフィンポリマーと少なくとも１種の他のワックスとを含んで成ることを改良点とする色素供与体要素。
【請求項２】
前記分岐α−オレフィンが式：
【化１】
2007516104.tif 000001
（式中、ＲはＣ6 〜Ｃ50アルキルであり、Ｒ1 は水素又はＣ6 〜Ｃ50アルキルである）
により表されるα−オレフィンから調製されたα−オレフィン重合体を含み、前記α−オレフィン重合体が５００〜５０００の数平均分子量を有する請求項１記載の要素。
【請求項３】
前記他のワックスに対する前記第１のワックスの比が５：１〜１：１０である請求項１記載の要素。
【請求項４】
（ａ）片面上に色素層を有するとともにその反対面上に滑材を含むスリップ層を有する支持体を含んで成る色素供与体要素、及び
（ｂ）色素画像受容層を上に有する支持体を含んで成る色素受容要素、
を含んで成り、前記色素受容要素が前記色素層が前記色素画像受容層と接触するように前記色素供与体要素と重ね合わさった関係にある感熱色素転写集成体において、前記滑材が分岐α−オレフィンポリマーと他のワックスを含むことを改良点とする、感熱色素転写集成体。
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
熱可塑性材料のシート又はロールから熱成形物品を製造するための方法であって、ここで、該熱可塑性材料が、本質的に、予め発泡された熱可塑性材料と混合された未使用熱可塑性材料からなり、該未使用熱可塑性材料及び該予め発泡された熱可塑性材料は、同じ化学組成であり、そして、該予め発泡された熱可塑性材料は、該熱可塑性材料の重量基準で約５％〜約１００％であり、前記方法は少なくとも次の各工程：
（a）該熱可塑性材料のシート又はロールを、可逆的に可塑化された熱可塑性材料をもたらすのに充分な選択圧力下及び選択時間の間、可塑化性ガスにより加圧する工程、ここで、該可塑化された熱可塑性材料は、該可塑化性ガスにより含浸されている；
（b）該可塑化された熱可塑性材料を減圧して、それにより該可塑化された熱可塑性材料から該可塑化性ガスの一部を脱着する工程；及び
（c）該可塑化された熱可塑性材料を、該成形物品へと形成する工程
を含み、ここで、該形成工程は、該含浸された可塑化性ガスの濃度が該可塑化された熱可塑性材料の重量基準で約０．５％より低くなる前に起こる、前記方法。
【請求項２】
熱可塑性材料が、本質的にポリエチレンテレフタレート（ＰＥＴ）からなる、請求項１記載の方法。
【請求項３】
可塑化性ガスが二酸化炭素（ＣＯ２）である、請求項１記載の方法。
【請求項４】
成形物品が、表皮層及び発泡された内部を有する、請求項１記載の方法。
【請求項５】
選択圧力が、約０．３４５ＭＰａ〜約１７．２ＭＰａであり、選択時間が、約３時間〜約１００時間である、請求項１記載の方法。
【請求項６】
成形物品が未発泡であり、ガス含浸された熱可塑性材料を未発泡成形物品へと形成する工程が、可塑化された熱可塑性材料が可塑化性ガスの圧力下にある間に起こる、請求項１記載の方法。
【請求項７】
形成工程の後に、付加的に加熱して、それにより成形物品の結晶化度レベルを高める工程を更に含む、請求項１記載の方法。
【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】  選択的なド−パミン、セロトニン、ノルエピネフリン再取込阻害剤である化合物の薬学的に有効な量を、そのような治療を必要としているヒトに投与する工程を含む、一つ以上の症状又は障害の治療方法であって、
前記一つ以上の症状又は障害が、ツレット症候群及び非ツレット障害の声及び運動のチック、強迫行動、認識障害、又は行動障害；心的外傷後ストレス障害の症状；多重人格障害の症状；怒り、暴力、及び間欠性爆発性障害；自己断節；振動視；繊維筋痛又は慢性疲労症候群の疲労、傷み、認識問題、又は睡眠の問題；ハンティングトン病の行動、感情、認識、又は運動問題；実行（前頭葉）機能の問題；アヘン剤麻薬乱用、依存又は嗜癖；注意欠陥過活動性障害（ＡＤＨＤ）及び注意欠陥障害（ＡＤＤ）；非社会的行動障害；及び脳障害の後の重篤な精神病の幻覚、欠失、及び認識不全から成る群から選択される、治療方法。
【請求項２】  ド−パミン、セロトニン、ノルエピネフリン再取込阻害剤がシブトラミン、シブトラミン塩又はシブトラミンの誘導体である請求項１記載の治療方法。
【請求項３】  シブトラミン、シブトラミン塩又はシブトラミンの誘導体の薬学的に有効な量を、そのような治療を必要としているヒトに投与する工程を含む、一つ以上の症状又は障害の治療方法であって、
前記一つ以上の症状又は障害が、ツレット症候群及び非ツレット障害の声及び運動のチック、強迫行動、認識障害、又は行動障害；心的外傷後ストレス障害の症状；多重人格障害の症状；怒り、暴力、及び間欠性爆発性障害；自己断節；振動視；繊維筋痛又は慢性疲労症候群の疲労、傷み、認識問題、又は睡眠の問題；ハンティングトン病の行動、感情、認識、又は運動問題；実行（前頭葉）機能の問題；アヘン剤麻薬乱用、依存又は嗜癖；注意欠陥過活動性障害（ＡＤＨＤ）及び注意欠陥障害（ＡＤＤ）；非社会的行動障害；及び脳障害の後の重篤な精神病の幻覚、欠失、及び認識不全から成る群から選択される、治療方法。
【請求項４】  薬学的に有効な量が、１日当たり約０．２５ｍｇから約４５ｍｇを含む、請求項１から３のいずれか一項記載の治療方法。
【請求項５】  薬学的に有効な量を制御または持続放出形態で送達することを更に含む、請求項１から４のいずれか一項記載の治療方法。
【請求項６】  抗てんかん剤または抗うつ剤の投薬を更に含む、請求項１から５のいずれか一項記載の治療方法。
【請求項７】  前記治療がエンドルフィン−オピオイド病理を妨げるものである請求項１から６のいずれか一項記載の治療方法。
【手続補正書】
【提出日】平成19年4月26日(2007.4.26)
【手続補正１】
【補正対象書類名】明細書
【補正対象項目名】００５４
【補正方法】変更
【補正の内容】
【００５４】
光学的収率または（６Ｓ，αＳ）−と（６Ｒ，αＳ）−ジアステレオマーあるいは（６Ｓ，αＲ）−と（６Ｒ，αＲ）−ジアステレオマーとの比は，以下の様に高圧液体クロマトグラフィーを用いて結晶体においてまたは母液において直接的に測定する：
０．５ｍｇの結晶または１５ｍｇの母液を、６．８ｇのβ−シクロデキストリンおよび２７０ｍＬの３７％濃度ホルムアルデヒドから１０００ｍＬの水中で製造される１ｍＬの溶剤に溶解する。分離はＭａｃｈｅｒｅｙ−Ｎａｇｅｌ社の５ｍｍ、２４０×４ｍｍのカラムＮｕｃｌｅｏｓｉｌ  Ｃ−８および以下の様に製造された移動溶媒によって行なった：６．８ｇのβ−シクロデキストリンを８．５ｍＬのトリエチルアミン、８５０ｍＬの水および１５０ｍＬのアセトニトリルよりなる混合物に溶解する。この溶液のｐＨ値を醋酸の添加によって７．５のｐＨに調整し、更に２７０ｍＬの３７％濃度ホルムアルデヒドを添加する。ジアステレオマーの検出は３００ｎｍの波長で行なった。
【手続補正２】
【補正対象書類名】明細書
【補正対象項目名】００５６
【補正方法】変更
【補正の内容】
【００５６】
【実施例】
Ａ  テトラヒドロ葉酸エステルとスルホン酸との付加塩の溶液の製造
実施例Ａ１：
ａ  （αＳ）葉酸ジメチルエステル−ベンゼンスルホナートの製造          
８００ｇの（αＳ）−葉酸二水和物（１．６８ｍｍｏｌ）を、５３０ｇのベンゼンスルホン酸（３．３５ｍｍｏｌ）および２０Ｌの水不含メタノールよりなる溶液に４０℃で窒素ガス雰囲気で最初に導入する。この混合物を３０分間還流下に加熱し、冷却しそして５Ｌの容量に濃縮する。析出する生成物を吸引濾過によって濾別し、１Ｌのメタノールで洗浄しそして乾燥室で４０℃、２０ｍｂａｒで乾燥する。９６６ｇの（αＳ）−葉酸ジメチルエステル−ベンゼンスルホナート（１．４５ｍｍｏｌ、理論収量の８６％）が得られる。この生成物は２６．２％のベンゼンスルホン酸、１．６７％の水および２．２６％のメタノールを含有している。
【手続補正３】
【補正対象書類名】明細書
【補正対象項目名】００７７
【補正方法】変更
【補正の内容】
【００７７】
実施例Ｂ５
濃縮された（６Ｓ，αＳ）−テトラヒドロ葉酸ジメチルエステル−ベンゼ
ンスルホナートの単離
実施例Ｂ１ｃからの母液を１／４の容量に濃縮する。０℃に冷却し、ジアステレオマー純粋の（６Ｓ，αＳ）テトラヒドロ葉酸ジメチルエステル−ベンゼンスルホナートをシード添加しそして（６Ｓ，αＳ）：（６Ｒ，αＳ）＝９７：３のジアステレオマー比を有する１．５ｇのテトラヒドロ葉酸ジメチルエステル−ベンゼンスルホナートを吸引濾過により濾別する。母液を乾燥するまで濃縮する。油状残留物を２００ｍＬのジエチルエーテルと混合しそして０℃で２時間攪拌する。沈殿する固体を吸引濾過し、ジエチルエーテルで洗浄しそして３０℃で２０ｍｂａｒで乾燥する。８０：２０の（６Ｓ，αＳ）：（６Ｒ，αＳ）−ジアステレオマー比を有する１４．８ｇのテトラヒドロ葉酸ジメチルエステル−ベンゼンスルホナートが得られる。